(57)【要約】【課題】プリンタコントローラ部とプリンタエンジン部を分離して両者の間をコマンドインタフェースと、複数のビデオインタフェースを介して印字処理を行うプリンタ装置において、インタフェースケーブルの接続確認のために、簡単な方式でプリンタコントローラ部とプリンタエンジン部間のビデオインタフェースケーブルの誤接続を検出可能とする。【解決手段】プリンタコントローラ部からコマンドインタフェースを介して、各ビデオインタフェースケーブルの接続確認用応答信号の送信要求コマンドをプリンタエンジン部に送信する。プリンタエンジン部は受信した各ビデオインタフェースケーブルの接続確認用応答信号の送信要求コマンドに従い、ビデオインタフェースを介して応答信号をプリンタコントローラ部に送信する。プリンタコントローラ部は予め期待された信号とを比較してプリンタコントローラ部とプリンタエンジン部間のビデオインタフェースケーブルの誤接続を検出する。【選択図】図１
2005231229.tif 000002
【特許請求の範囲】
【請求項１】
ホストコンピュータから送信される印字データに対する印字制御を行うプリンタコントローラ部と前記プリンタコントローラから送信される印字データに対して印字処理を行うプリンタエンジン部から構成され、前記プリンタコントローラ部と前記プリンタエンジン部との間に設けられているコマンドインタフェースと、複数のビデオインタフェースとを介して印字を行うプリンタ装置であって、前記プリンタコントローラ部は、前記プリンタエンジン部に対してコマンドインタフェースを介してビデオインタフェースケーブルの接続確認用応答信号の送信要求コマンドを生成する制御手段と、前記プリンタエンジン部からビデオインタフェースを介して送信される前記応答信号を受信し、予め期待された応答信号とを比較する比較手段とを有し、前記プリンタエンジン部は、前記プリンタコントローラ部からコマンドインタフェースを介して受信した応答信号の送信要求コマンドに従い、応答信号を生成し、プリンタコントローラ部に送信する制御手段とを有し、前記比較手段により、応答信号送信要求コマンドを送信後にプリンタエンジン部から送信される応答信号と予め期待された応答信号とを比較して前記プリンタコントローラ部、プリンタエンジン部間のビデオインタフェースケーブルの誤接続を検出することを特徴とするプリンタ装置のケーブル誤接続検出方式。
【発明の詳細な説明】
【技術分野】
【０００１】
本発明は、プリンタ装置のプリンタコントローラ部、プリンタエンジン部間のインタフェースケーブル誤接続検出方式に関する。
【背景技術】
【０００２】
従来から、プリンタ装置を含むデジタルデータ伝送装置において、装置間を複数のインタフェースケーブルで接続する場合にインタフェースケーブルの誤接続を検出するためにいくつかの方式が使用されている。例えば、特許文献１に記載されているように、各インタフェースケーブルおよび両方の装置側にカラーマークを対で被着表示をすることで装置間での正しいケーブル接続を促し、接続後でもカラーマークが確認でき接続作業の正誤を容易に検証できる方式が使用されている。しかしこの方式では、検証手段が目視であるため、ケーブルの誤接続を検出できない場合がありうる。ケーブルを誤接続した状態で装置を動作させた場合、期待しない動作となる。原因調査を行った結果、装置間のケーブルが誤接続されたことが判明することになり直ぐに誤接続が検出できないという欠点があった。また、他の方法としては、特許文献２に記載された方式もある。
【０００３】
【特許文献１】特開２０００−２００６５４号公報
【０００４】
【特許文献２】特開２００１−３２５１１６号公報
【発明の開示】
【発明が解決しようとする課題】
【０００５】
本発明は、インタフェースケーブルの誤接続を目視による検証ではなく、簡単な構成でインタフェースケーブルの誤接続を確実に検出可能にすることを課題としている。
【課題を解決するための手段】
【０００６】
上記課題を解決するための手段として、まず、プリンタコントローラ部からコマンドインタフェースを介して、各ビデオインタフェースケーブルの接続確認用応答信号の送信要求コマンドをプリンタエンジン部に送信する。プリンタエンジン部は受信した各ビデオインタフェースケーブルの接続確認用応答信号の送信要求コマンドに従い、ビデオインタフェースを介して応答信号をプリンタコントローラ部に送信する。プリンタコントローラ部は予め期待された信号とを比較してプリンタコントローラ部とプリンタエンジン部間のビデオインタフェースケーブルの誤接続を検出することを特徴とする。
【発明の効果】
【０００７】
本発明によれば、プリンタ装置のプリンタコントローラ部、プリンタエンジン部間のインタフェースケーブルの誤接続を簡単な構成で確実に検出できる。
【発明を実施するための最良の形態】
【０００８】
装置間のインタフェースケーブルの誤接続検出を目視による検証ではなく簡単な構成で確実に検出するという目的を、装置間に誤接続検出のための別線を追加することなく実現した。
以下、本発明の一実施例を図面に基づいて説明する。図１は、本発明の構成例を示すブロック図である。プリンタ装置は、プリンタコントローラ部１と、プリンタエンジン部１４と、から構成され、装置間をコマンドインタフェースケーブル１２と、複数のビデオインタフェースケーブル１３とを介して接続されている。プリンタコントローラ部１は、プリンタエンジン部１４とコマンドインタフェスケーブル１２を介してコマンドインタフェース信号の送受信制御を行うコマンドインタフェース制御部２と、ビデオインタフェースケーブル１３を介してビデオデータの送信制御を行うビデオインタフェース制御部３と、ビデオインタフェースケーブル１３を介して送信される応答信号を予め期待される応答信号と比較する応答信号比較部４と、から構成されている。さらに、各ビデオインタフェースのチャネルが複数設けられ、チャネル１、チャネル２、チャネルｎとチャネル毎にビデオインタフェース制御部と応答信号比較部を備えている。プリンタエンジン部１４は、プリンタコントローラ部１とコマンドインタフェースケーブル１２を介してコマンドインタフェース信号の送受信制御を行うコマンドインタフェース制御部１５と、ビデオインタフェースケーブル１３を介してビデオデータの受信および応答信号の送信を行うビデオインタフェース制御部１６と、から構成されている。さらに、各ビデオインタフェースのチャネルが複数設けられ、チャネル１、チャネル２、チャネルｎとチャネル毎にビデオインタフェース制御部を備えている。
【０００９】
図１の例では、プリンタコントローラ部１のチャネル１とプリンタエンジン部１４のチャネル１が正しく接続され、プリンタコントローラ部１のチャネル２が、プリンタエンジン部１４のチャネル３へ誤って接続されている例を示している。
【００１０】
プリンタコントローラ部１は各ビデオインタフェースケーブルの接続確認を以下の手順に従い実施する。まず、プリンタコントローラ部１は、コマンドインタフェース制御部２において接続確認を行うビデオインタフェースのチャネルＮｏ．を指定して接続確認要求コマンドを生成し、コマンドインタフェースを介してプリンタエンジン部１４に送信する。プリンタエンジン部１４のコマンドインタフェース制御部１５は、接続確認要求コマンドを受信するとどのチャネルのビデオインタフェースケーブルの接続確認を要求しているのかを判断し、要求のあったチャネルのビデオインタフェース制御部に対して応答信号の生成と送信指示を行う。要求されたチャネルのビデオインタフェース制御部は、応答信号を生成し、ビデオインタフェースケーブルを介してプリンタコントローラ部１に送信する。プリンタコントローラ部１のコマンドインタフェース制御部２は、接続確認要求コマンドを生成した後に、接続確認を要求するチャネルの応答信号比較部に対して、予め応答信号が期待されていることを指定する。指定された応答信号比較部は、プリンタエンジン部１４から送信される応答信号との比較を行う。ケーブルが正しく接続されている場合、（例えば、図１におけるチャネル１間の接続）指定された応答信号比較部は、プリンタエンジン部１４から応答信号を検出し、応答信号比較部での比較で一致し、正しくケーブルが接続されていると判断する。一方、ケーブルが誤って接続されている場合、（例えば、図１におけるチャネル２、チャネル３間の接続）指定された応答信号比較部は、プリンタエンジン部１４からの応答信号を検出できないので、応答信号比較部での比較で不一致となり、ケーブルが誤って接続されていると容易に判断することができる。
以上のように、本発明では、インタフェースケーブルの誤接続を目視による検証ではなく、簡単な構成でインタフェースケーブルの誤接続を確実に検出することが可能である。
【産業上の利用可能性】
【００１１】
プリンタ装置のプリンタコントローラ部、プリンタエンジン部間と同様に複数のインタフェースケーブルで接続されるデジタルデータ伝送装置の装置間のインタフェースケーブル誤接続検出方式にも適用できる。
【図面の簡単な説明】
【００１２】
【図１】本発明のプリンタ装置のケーブル誤接続検出方式を示した説明図である。
【符号の説明】
【００１３】
１…プリンタコントローラ部
２，１５…コマンドインタフェース制御部
３，６，９，１６，１８，２０…ビデオインタフェース制御部
４，７，１０…応答信号比較部
５，１７…チャネル１
８…チャネル２
１１，２１…チャネルｎ
１２…コマンドイタフェースケーブル
１３…ビデオインタフェースケーブル
１４…プリンタエンジン部
【図１】
2005231229.tif 000003